【事件の表示】
　平成　９年特許願第　７８１４１号「遊技場における玉返却装置」拒絶査定不服審判事件〔平成１０年　１月１３日出願公開、特開平１０−　　５４４０〕について、次のとおり審決する。
【結　論】
　本件審判の請求は、成り立たない。
【理　由】
１．手続の経緯・本願発明
　本願は、平成４年２月１４日の出願である実願平４−５６２７号の考案の一部を分割した実願平９−２１９７号を特許出願に変更したものであって、その請求項１に係る発明は、明細書及び図面の記載からみて、本願の特許請求の範囲の請求項１に記載された次のとおりのものと認められる。
「【請求項１】側壁によって形成される貯留空間に賞品球を貯留する貯留箱と、該貯留箱の底面が当接して貯留箱を載置する貯留箱載置部を有し、該貯留箱載置部に載置された貯留箱から返却される賞品球を計数する計数装置とを有する遊技場における玉返却装置であって、前記貯留箱は、前記計数装置の貯留箱載置部の適宜位置に略垂直方向から載置する過程で貯留空間の底面に形成される開口部を開放して貯留空間に貯留する賞品球を前記計数装置に導出させる蓋を具備し、前記計数装置は、前記貯留箱を前記貯留箱載置部の適宜位置に略垂直方向から載置する過程で前記蓋を押し上げて前記貯留箱の賞品球を返却可能とさせる球抜用片と、前記貯留箱載置部の上方位置であって該玉貯留箱載置部に載置された前記貯留箱の前記側壁との間に空間が形成されないように立設されて前記貯留箱を前記貯留箱載置部の適宜位置に向かって略垂直方向に誘導する立壁と、を具備することを特徴とする遊技場における玉返却装置。」（以下、「本願発明」という。）
　
２．引用例
　これに対して、当審の拒絶の理由に引用された、実願昭６０−１９０９０号（実開昭６１−１３６７８６号）のマイクロフィルム（以下、「引用例１」という。）には、
Ａ．「（１）上げ底に形成した底面にパチンコ玉の排出孔を有する収容箱本体と、該収容箱本体内に前記底面から押し上げ可能に配置され、押下げ状態で前記排出孔を実質的に遮蔽し、押上げ状態で排出孔を開放する板体であって、前記底面に設けた挿入部に挿入され、前記底面の下方に伸びる脚部を有する該板体を備え、パチンコ玉計数機の受け台上に載置することにより前記受け台に配置される押上部材で前記挿入部を介して前記脚部を押し、前記板体を押し上げて、前記収容箱本体内のパチンコ玉を前記排出孔より計数機に排出することを特徴とするパチンコ玉収容箱。
（２）脚部の下端に係止突起を設け、板体が押し上げられたときに該係止突起が底面に当り、該板体の抜け落ちを防止したことを特徴とする実用新案登録請求の範囲第１項に記載のパチンコ玉収容箱。・・・」（実用新案登録請求の範囲）、
Ｂ．「［産業上の利用分野］
　本考案はパチンコ玉を収容する収容箱に関するものである。
［従来技術］
　従来、パチンコ遊戯者は獲得したパチンコ玉を収容箱に入れておき、遊戯後の景品交換の際に収容箱からパチンコ玉の計数を行うカウンタにパチンコ玉を開ける。その場合、小型の収容箱ならば問題はないが、数千個のパチンコ玉を入れる収容箱は大型でしかも重量があるので収容箱を傾けたままパチンコ玉をカウンタに開ける作業が非常に労力を要するとともに、パチンコ玉がカウンタ外にこぼれ落ち易い等の問題があった。
　このような問題点を解決するため、本願出願人は実願昭５９ー１３８６０５号において、底面にパチンコ玉の排出孔を有する収容箱本体と、収容箱本体内に上下可能に配置させた排出孔を実質的に遮蔽する流板を備え、パチンコ玉計数機の受け台上に載置することにより受け台に設けられた押上部材で底面の排出孔を介して流板を押し上げて、収容箱本体内のパチンコ玉を排出孔より計数機に排出することにより、計数機への玉開けを簡単に行うことができ、かつパチンコ玉が外へこぼれる不利益をなくしたパチンコ玉の収容箱を提案した。しかし、収容箱底面の排出孔から計数機へのパチンコ玉の流れの効率に問題があると共に、底面の排出孔を介して流板に物の角あるいは膝等が当り流板が押し上げられ、パチンコ玉がこぼれやすい等の問題があつた。
［考案の目的］
　本考案は上記パチンコ玉収容箱の改良に関するものであり、その目的は計数の際の労力が極めて軽減されると共に、計数機へのパチンコ玉の流れが極めて効率よく行われ、計数に要する時間が短縮され、かつ物の角あるいは膝等との衝突によりパチンコ玉がこぼれるのを極力防止し、取扱いを良好としたパチンコ玉収容箱を提案することにある。」（３ページ２行〜５ページ７行）、
Ｃ．「第７図はパチンコ玉の計数機の外観図である。１０はパチンコ玉計数機、１１は前述した収容箱１から排出されたパチンコ玉を受けて計数部入口１３に導く受け台であり、図示の如くパチンコ玉が（計数部１３に向かって）転がるように傾斜面に形成されている。なお、計数手段としては従来提供されているものと同じ構成のものが用いられている。１２は受け受け台１１の周囲に設けられた起立板であり、受け台１１からパチンコ玉が計数機１０の外に落ちるのを防ぐものである。１４は 収容箱１の流板６を押し上げる押上部材であり、図示の如く受け台１１上の４個所に設けられている。また、この押上部材１４は収容箱１の底面３の挿入部８に対応する位置に設けられている。
　また、１５は計数したパチンコ玉の個数を表示する表示部、１６はその個数を記録紙１７に記録して出力する記録部、１８はパチンコ玉を他へ送る排出部である。」（１１頁１１行〜１２ページ１３行）、
Ｄ．「次に、上記収容箱１と計数機１０を用いてパチンコ玉の計数を行う場合の動作を第８図を参照して説明する。
　パチンコ玉の入った収容箱１を持ち上げて押上部材１４と底面３の挿入部８の位置を合せた状態で計数機１０の受け台１１上に置くと、第８図に示す如く押上部材１４が底面３の挿入部８から挿入し流板６の脚部７を係止突起７ａが底面３の下面に衝突する高さまで押し上げる。この結果、収容箱１内のパチンコ玉は底面３と流板６の間を通り、排出孔４から計数機１０の計数部入口１３ 内に導入される。また、流板６上のパチンコ玉は落し穴６ｄから落ち、同様に排出孔４を通って計数部入口１３に流れる。
　これにより、計数を行う際に従来のように収容箱１を持ち上げて傾けたままパチンコ玉を計数機１０の受け台に開けるといつた作業が全く必要なくなり、特に数千個のパチンコ玉が入る大型の収容箱１の場合には労力の軽減が図れ好都合である。また、パチンコ玉が計数機の外にこぼれる等の不都合が生じることもない。
　さらに、従来においては、収容箱からパチンコ玉を開けるために計数機のパチンコ玉の受け台をある程度大きくしてパチンコ玉がこぼれるのを防ぐ必要があつたが、本実施例のように収容箱１を直接計数機１０の受け台１１上に乗せて自動的にパチンコ玉の排出を行うようにすれば、受け台１１の大きさを収容箱１の大きさとほぼ同じにすることができ、計数機の小型化が達成される。また、従来ではパチンコ玉を受け台で徐々に転がしながら計数を行なうため、受け台の大きさに比べ計数部の大きさを余り大きくすることができなかつたが、本実施例では収容箱１自体が受け台１１の役目を果たし、パチンコ玉を収容箱１内で転がしながら計数部に導入する構造なので計数部を極めて大きくすることができる．このため計数能力の向上が図られる。」（１２ページ１４行〜１５ページ２行）、
Ｅ．「また、底面３を上げ底にすると共に、流板６の脚部７を挿入部８に挿入させてあるので、物の角あるいは膝等が排出孔４を介して流板に当たり、又は脚部６に当たつて流板６が押し上げられ、パチンコ玉が不用意にこぼれる危険が極力防止される。また、計数機１０の受け台１１には棒状の押し上げ部材１４を設けるだけであるので、構造が簡単であり、かつ邪魔にもならない。」（１６ページ２〜１０行）、
　が図面と共に記載されており、上記パチンコ玉計数機１０とパチンコ玉収容箱１はパチンコ玉の計数システムを形成しているものであるので、以上の記載によれば引用例１には、
「上げ底に形成した底面３にパチンコ玉の排出孔４を有するパチンコ玉収容箱１本体と、受け台１１上に載置されるパチンコ玉収容箱１本体内のパチンコ玉を計数するパチンコ玉計数機１０とからなり、該パチンコ玉収容箱１本体内に前記底面３から押し上げ可能に配置され、押下げ状態で前記排出孔４を実質的に遮蔽し、押上げ状態で排出孔４を開放する流板６であって、該流板６は前記底面３の下方に伸びる脚部７を備え、該脚部７は前記底面３に設けた挿入部８に挿入されており、パチンコ玉計数機１０は、受け台１１上にパチンコ玉収容箱１を載置することにより前記受け台１１に配置される押上部材１４で前記挿入部８を介して前記脚部７を押し、前記流板６を押し上げて、前記パチンコ玉収容箱１本体内のパチンコ玉を前記排出孔４よりパチンコ玉計数機１０に排出させるとともに、受け台１１の周囲には起立板１２を設けてなるパチンコ玉の計数システム」
　が記載されていると認められる。（以下、「引用発明１」という。）
　同じく、当審の拒絶の理由に引用された、特開昭６３−９７１８７号公報（以下、「引用例２」という。）には、
Ｆ．「１はパチンコ玉計数機で、上面に投入口２を、前面に排出口３を有し、投入口２に投入した玉Ａが排出口３に至る間を自重により流動する間に計数を行う周知構成のものである。４は計数機１の投入口２部位に載装される台枠、５は該台枠４に組合せ載置される玉箱である。前記台枠４は長方形状をなし、その前壁６は対応する後壁７に比べて低く形成され、両前後壁６，７間に、玉箱５が載置される一対の棒状をなす載置部材８が前壁上端に合わせて架設され、該載置部材８の外側には玉箱５を定位置、つまり投入口２中央部までをガイドする案内部材９が架設され、後壁７面には玉箱５の後記する摺動扉を押開する押杆１０が突設してあり、該押杆１０は、その基端にばね（図示せず）が介装してあって弾力的に水平方向へ若干の揺動を可能にしている。前記玉箱５は比較的大型のものにして、台枠４形状に合わせた長方形状をなすもので、その底部に開口１１を設け、該開口１１を開閉すべく２重構成とする底部内に摺動扉１２が配装してあり、台枠４の前後壁６，７に対応する長辺壁下部に押杆１０が出入り可能に開口部を設け、該開口部に摺動扉１２に延設した当杆１３の端面１４を臨ませている。また、台枠４の左右壁に対応する摺動扉１２の両端面には、弾力的に復元性を有する密着巻ばね１５を外向けに突設し、該ばね１５の先端に円盤１６を固着し、該円盤１６を玉箱５底部に設けた対向傾斜面を形成した溝部１７に嵌合させ、ばね１５に外圧が作用せず、直状をなす中立位置で摺動扉１２は開口１１を閉じ、当杆１３の端面１４に対してこれを内方へ押す外力が作用する時にばね１５が弾力的に曲がって摺動扉１２が動いて開口１１を開き、外力が抜かれるとばね１５の復元力で自動的に元位置に戻り開口１１を閉じるものである。」（２ページ左下欄２行〜同右下欄１８行）、
Ｇ．「玉箱５内に収容した玉Ａを計数するには、玉箱５を計数機１の所まで運び、先づ、玉箱５の底部を台枠４の前壁６のところに載せ掛ける。次いで、玉箱５を台枠４内方へ向けて押し込むように水平に動かすと、玉箱５は案内部材９にガイドされつつ載置部材８上を移動し、台枠４の後壁７に突設した位置決め突起１８に当接する位置、つまり定位置に到達する。この玉箱５が台枠４内定位置に移動してくる途中で、台枠後壁７面に突設した押杆１０が摺動扉１２の当杆１４に当接して摺動扉１２の動きを止め、爾後、玉箱５本体部のみが定位置に移動してくるので、玉箱５底部の開口１１が開かれてこれより玉箱５内の収容玉Ａはその自重により計数機１へ排出投入されるものである。」（３ページ左上欄３〜１８行）、
　が図面と共に記載されており、以上の記載によれば引用例２には、
「玉箱５が、案内部材９にガイドされつつ定位置に移動し、載置部材８に載置される計数機」
　が記載されていると認められる。（以下、「引用発明２」という。）
　
３．対比
　本願発明と引用発明１とを対比すると、引用発明１の「パチンコ玉収容箱１」、「受け台１１」、「パチンコ玉計数機１０」、「排出孔４」、「流板６」、「押上部材１４」及び「パチンコ玉の計数システム」は、本願発明の「貯留箱」、「貯留箱載置部」、「計数装置」、「開口部」、「蓋」、「玉抜用片」及び「玉返却装置」に相当するものと認められる。
　そして、引用発明１の「パチンコ玉収容箱１」は、その側壁によって貯留空間を形成しており、「受け台１１」の適宜位置に略垂直方向から載置するものであることは明らかであるから、両者の一致点及び相違点は、次のとおりと認められる。
　一致点・・・側壁によって形成される貯留空間に賞品球を貯留する貯留箱と、該貯留箱を載置する貯留箱載置部を有し、該貯留箱載置部に載置された貯留箱から返却される賞品球を計数する計数装置とを有する遊技場における玉返却装置であって、前記貯留箱は、前記計数装置の貯留箱載置部の適宜位置に略垂直方向から載置する過程で貯留空間の底面に形成される開口部を開放して貯留空間に貯留する賞品球を前記計数装置に導出させる蓋を具備し、前記計数装置は、前記貯留箱を前記貯留箱載置部の適宜位置に略垂直方向から載置する過程で前記蓋を押し上げて前記貯留箱の賞品球を返却可能とさせる球抜用片と、を具備することを特徴とする遊技場における玉返却装置である点。
　相違点１・・・本願発明が、貯留箱の底面が当接し貯留箱を貯留箱載置部に載置するものであるのに対し、引用発明１は、パチンコ玉収容箱１の底面が上げ底になっており、流板６の脚部７を挿入する挿入部８及びパチンコ玉収容箱１の側面が受け台１１に当接するものである点。
　相違点２・・・本願発明が、貯留箱載置部の上方位置であって該玉貯留箱載置部に載置された貯留箱の側壁との間に空間が形成されないように立設されて貯留箱を貯留箱載置部の適宜位置に向かって略垂直方向に誘導する立壁を具備するものであるのに対し、引用発明１は、受け台１１の周囲に起立板１２を設けている点。　
　
４．当審の判断
　上記相違点について検討する。
・相違点１について
　引用発明１が、底面３を上げ底にすると共に、流板６の脚部７を挿入部８に挿入させているのは、上記記載Ｅ．のように物の角あるいは膝等が排出孔を介して流板６に当たり、又は脚部７に当たつて流板６が押し上げられ、パチンコ玉が不用意にこぼれる危険を極力防止するためである。これに対して、本願発明はこのような技術的課題を意識するものではないため、そのような工夫を採用しなかっただけのことであり、そのようにすれば、本願発明の上記相違点１に係る構成となることは自明であるので、このような構成を採用することが格別困難であるということはできない。
　なお、引用例１に記載される従来例（上記記載Ｂ．）である実願昭５９−１３８６０５号（実公平２−３５３３４号）も上記本願発明の上記相違点１に係る構成を採用するものである。
・相違点２について
　引用発明１の起立板１２と収容箱の外壁との間にパチンコ玉が計数機１０の外に落ちるのを防ぐための空間があるが、上記相違点１と同じように本願発明はこのような技術的課題を意識するものではないため、そのような工夫を採用しなかっただけのことであり、引用発明１の起立板１２に、引用発明２のような玉箱（貯留箱）をガイドし載置部材に載置する案内部材としての機能を持たせ、本願発明の上記相違点２に係る構成を採用することに当業者が格別な創意工夫を要したとすることはできない。
　また、本願発明のように構成することによって、格別な効果を奏するようになったものということもできない。
　
５．むすび　　
　したがって、本願発明は、引用発明１、２に基づいて、当業者が容易に発明をすることができたものであるから、特許法第２９条第２項の規定により、特許を受けることができない。
　よって、結論のとおり審決する。